(57)【要約】【課題】              本発明は上記従来事情に鑑みてなされたものであり、その課題とする処は、一本の筆記具でもって、吐出されるインクの色を変化させることができる上、その色合いを微妙に調整することができる混合筆記具を提供する。【解決手段】        複数のインク収容室１０と、これらインク収容室１０から供給されるインクＭを外部へ吐出する筆記部３０とを備えた混合筆記具であって、前記複数のインク収容室１０の内の少なくとも一つのインク収容室１０には、他のインク収容室１０のインクと異なる色のインクが収容され、前記複数のインク収容室１０の内の少なくとも一つのインク収容室１０から前記筆記部３０へインクを流通させるインク流路中には、該インク流路の流通面積を外部からの操作により可変する調整弁機構が具備されている。【選択図】          図１
2005059419.tif 000002
【特許請求の範囲】
【請求項１】
複数のインク収容室と、これらインク収容室から供給されるインクを外部へ吐出する筆記部とを備えた混合筆記具であって、
前記複数のインク収容室の内の少なくとも一つのインク収容室には、他のインク収容室のインクと異なる色のインクが収容され、
前記複数のインク収容室の内の少なくとも一つのインク収容室から前記筆記部へインクを流通させるインク流路中には、該インク流路の流通面積を外部からの操作により可変する調整弁機構が具備されていることを特徴とする混合筆記具。
【請求項２】
上記調整弁機構を、上記インク収容室毎に設けたことを特徴とする請求項１記載の混合筆記具。
【請求項３】
上記筆記部は、ボールハウス内に転写ボールを回転自在に保持してなるボールペン用チップであることを特徴とする請求項１又は２記載の混合筆記具。
【請求項４】
上記調整弁機構は、対応する上記インク収容室の後端側に配設されて回転操作される操作部を備え、該操作部の回転操作により上記インク流路の流通面積を可変することを特徴とする請求項１乃至３何れか１項記載の混合筆記具。
【請求項５】
上記操作部を、回転操作されることで軸方向へ移動するように上記インク収容室の後端部に螺合するとともに、
この操作部と一体的に、軸方向への移動により上記インク流路の流通面積を可変する弁部材を備えたことを特徴とする請求項４記載の混合筆記具。
【請求項６】
上記調整弁機構から上記筆記部へインクを流通させるインク流路中に、インクを上記筆記部へ誘導する誘導部材が設けられ、
該誘導部材は、インクを流通させるべく軸方向へ貫通された貫通状流通部を、上記インク収容室毎に単数もしくは複数備えていることを特徴とする請求項１乃至５何れか１項記載の混合筆記具。
【請求項７】
上記調整弁機構から上記筆記部へインクを流通させるインク流路中に、該インク流路を上記インク収容室毎に仕切る仕切り壁が設けられ、
該仕切り壁は、仕切られた複数のインク流路間のインク圧差によって変形可能な弾性材料から形成されていることを特徴とする請求項１乃至６何れか１項記載の混合筆記具。
【発明の詳細な説明】
【技術分野】
【０００１】
本発明は、一本の筆記具でもって複数色のインクを混合し吐出することができる混合筆記具に関するものである。
【背景技術】
【０００２】
従来、この種の筆記具には、例えば特許文献１に記載されているように、異なる色のインクを個別に収容する複数の収容管（２５，２６）と、これら収容管（２５，２６）から供給されるインクを混合してペン先部（１４）の先端へ導く混合室（２３）とを具備し、前記複数の収容管（２５，２６）を弾性変形し得る程度の可撓性を有する材料から形成したものがある。
この従来の筆記具によれば、複数の収容管（２５，２６）内のインクを混合室（２３）により混合してペン先部（１４）の先端へ導ける上、複数の収容管（２５，２６）を、指の力で変形させ、個別に内圧を変化させることで、混合室（２３）に供給される複数のインクの混合比率を変更することができるとされている。
【０００３】
しかしながら、上記従来技術によれば、吐出される複数のインクの混合比率を変更するには、複数の収容管（２５，２６）の内の何れかを指の力で変形させて、インク流量を調整するようにしているため、色合いを微妙に変えるのが困難であった。
しかも、前記インク流量の調整の際、収容管（２５，２６）は、指で押されて凹んだ後、弾性的にもとの状態に復帰することになる。したがって、前記復帰の際に、インクが混合室（２３）から収容管（２５，２６）内へ逆流してしまう場合があり、この現象も、色合いを微妙に変えるのを困難にしている一因であった。
【特許文献１】特開２００１−１８５７７号公報  （図７乃至９）
【発明の開示】
【発明が解決しようとする課題】
【０００４】
本発明は上記従来事情に鑑みてなされたものであり、その課題とする処は、一本の筆記具でもって、吐出されるインクの色を変化させることができる上、その色合いを微妙に調整することができる混合筆記具を提供することにある。
【課題を解決するための手段】
【０００５】
上記課題を解決するために第一の発明は、複数のインク収容室と、これらインク収容室から供給されるインクを外部へ吐出する筆記部とを備えた混合筆記具であって、前記複数のインク収容室の内の少なくとも一つのインク収容室には、他のインク収容室のインクと異なる色のインクが収容され、前記複数のインク収容室の内の少なくとも一つのインク収容室から前記筆記部へインクを流通させるインク流路中には、該インク流路の流通面積を外部からの操作により可変する調整弁機構が具備されていることを特徴とする。
【０００６】
なお、上記複数のインク収容室には、その内の少なくとも一つのインク収容室に他のインクと異なる色のインクが収容されていればよいが、多種多様な色調整を可能にするためには、上記複数のインク収容室に各々異なる色のインクを収容するのが好ましい。
【０００７】
また、上記調整弁機構とは、当該混合筆記具の外部からの操作により、上記インク収容室から上記筆記部へのインク流路中における流通面積を可変するものであればよく、前記操作には、回転操作やノック操作等を含む。
そして、この調整弁機構は、上記複数のインク収容室の内の少なくとも一つに設けられていればよいが、多種多様な色調整を微妙に行えるようにするためには、上記複数のインク収容室毎に設けられるのが好ましい。
また、上記流通面積を可変する技術的手段には、上記流通面積を当該混合筆記具の軸方向へ可変する態様、上記流通面積を当該混合筆記具の周方向へ可変する態様等を含む。
【０００８】
また、第二の発明では、上記調整弁機構を、上記インク収容室毎に設けたことを特徴とする。
【０００９】
また、第三の発明では、上記筆記部は、ボールハウス内に転写ボールを回転自在に保持してなるボールペン用チップであることを特徴とする。
【００１０】
また、第四の発明では、上記調整弁機構は、対応する上記インク収容室の後端側に配設されて回転操作される操作部を備え、該操作部の回転操作により上記インク流路の流通面積を可変することを特徴とする。
【００１１】
また、第五の発明では、上記操作部を、回転操作されることで軸方向へ移動するように上記インク収容室の後端部に螺合するとともに、この操作部と一体的に、軸方向への移動により上記インク流路の流通面積を可変する弁部材を備えたことを特徴とする。
【００１２】
また、第六の発明では、上記調整弁機構から上記筆記部へインクを流通させるインク流路中に、インクを上記筆記部へ誘導する誘導部材が設けられ、該誘導部材は、インクを流通させるべく軸方向へ貫通された貫通状流通部を、上記インク収容室毎に単数もしくは複数備えていることを特徴とする。
【００１３】
また、第七の発明では、上記調整弁機構から上記筆記部へインクを流通させるインク流路中に、該インク流路を上記インク収容室毎に仕切る仕切り壁が設けられ、該仕切り壁は、仕切られた複数のインク流路間のインク圧差によって変形可能な弾性材料から形成されていることを特徴とする。
【発明の効果】
【００１４】
本発明は、以上説明したように構成されているので、以下に記載されるような作用効果を奏する。
第一の発明によれば、インク流路中のインク流量を調整弁機構により調整できるため、筆記部から吐出される複数のインクの混合比率を可変できる上、調整弁機構によるインク流通面積の調整により、吐出されるインクの色合いを微妙に調整することができる。
したがって、一本の筆記具でもって吐出されるインクの色を変化させることができる上、その色合いの微妙な調整が可能な混合筆記具を提供することができる。
【００１５】
更に、第二の発明によれば、上記インク収容室毎にインク流量の調整が可能であるため、一本の筆記具でもって、より多種多様な色彩のインクを吐出することができる。
【００１６】
更に、第三の発明によれば、複数のインクを、回転する転写ボールに接触させることで、適度に混合することができる。
したがって、当該混合筆記具により筆記される筆記線を、比較的純粋な一色の筆記線とすることができる。
【００１７】
更に、第四の発明によれば、操作部がインク収容室の後端側に配置されているため、筆記具を把持した際の誤操作により、インク色を変化させてしまうようなことがない。
しかも、操作部の回転操作により色調整する機構としているため、例えばノック操作で色調整する機構とした場合のように、万が一筆記具を落としてしまい操作部に軸方向の衝撃が加わったとしても、吐出されるインクの色が変わってしまうことがない。
【００１８】
更に、第五の発明によれば、操作部材の回転操作によりインク流路の流通面積を可変する弁部材が備えられているため、複数のインクの混合比率を、より繊細に調整することができ、ひいては、吐出されるインクの色を一層微妙に調整することができる。
【００１９】
更に、第六の発明によれば、誘導部材の貫通状流通部により、複数のインク収容室のインクをそれぞれ独立させて筆記部の近傍へ導くことができる。
したがって、複数のインクの良好な混合状態を長時間もしくは長期間維持することができる。
すなわち、複数のインク収容室内のインクの成分によっては、複数のインクが調整弁機構と筆記部との間で混合され溜り、その状態が長時間もしくは長期間維持されると、混合状態であったインクが不適切に分離されてしまうおそれがあるが、本発明によれば、前記のような現象を回避でき、更には、貫通状流通部の先端と筆記部との間の距離を適宜寸法に設定することで、複数のインクの混合状態を良好に維持することができる。
【００２０】
更に、第七の発明によれば、複数のインク収容室から筆記部へ流通する複数のインクは、仕切り壁により仕切られた状態で筆記部へ流通される。その流通の際に、複数のインクの圧力にバラツキを生じた場合（例えば複数のインク収容室に赤インクと青インクとを備え、赤インクの圧力の方が青インクの圧力よりも高い場合等）でも、仕切り壁が弾性変形することにより、複数のインクの圧力を均圧化することができる。
したがって、インクが圧力の高いインク収容室側から圧力の低いインク収容室側へ逆流してしまうのを回避でき、複数のインクを好適に混合することができる。更には、仕切り壁の先端と筆記部との間の距離を適宜寸法に設定することで、複数のインクを一層好適に混合することができる。
【発明を実施するための最良の形態】
【００２１】
以下、本発明の実施の形態を図面に基づいて説明する。
この混合筆記具Ａ１は、複数のインク収容室１０、各インク収容室１０のインクＭを前方（図１における下方）へ導く先口２０、先口２０により導かれたインクＭを外部へ吐出する筆記部３０等を備え、前記各インク収容室１０から前記筆記部３０へインクＭを流通させるインク流路中に、該インク流路の流通面積を外部からの操作により可変する調整弁機構を構成している（図１及び２参照）。
そして、この混合筆記具Ａ１は、複数のインク収容室１０に、それぞれ異なる色のインクＭを個別に収容している。
【００２２】
各インク収容室１０は、前端開口部と後端開口部とを有する略円筒状に形成された筒部１１と、該筒部１１の前端開口部に装着された弁座部材１２と、同筒部１１の後端開口部に装着された後端キャップ１３と、該後端キャップ１３の略軸線状に螺合された調整部材１４とを具備し、筒部１１内にインクＭを充填するとともに、該インクＭの後端には、インクＭの後方への流出を防止すべくグリース状のフォロアＮを充填している。
【００２３】
筒部１１は、インクＭや後述する調整部材１４等を軸方向にわたって収容可能な部材であればよく、例えば、合成樹脂材料や金属材料等から形成されている。
この筒部１１は、図示例によれば略円筒状に形成されているが、よりインクＭの収容量を多くするために、例えば断面略扇形状に形成してもよい。
また、この筒部１１は、内部のインク残量や、インク色を目視できるようにするためには、透明もしくは半透明の合成樹脂材料から形成されるのが好ましい。
【００２４】
なお、図中符号１は、当該混合筆記具Ａ１が把持されるようにするための円筒状の軸筒である。この軸筒１は、上記筒部１１を断面略扇形状に形成することで、複数の筒部１１が軸状に構成されるようにすれば、省くことも可能である。
また、筒部１１を透明もしくは半透明に形成した場合には、この軸筒１も透明もしくは半透明の材料から構成して、内部が目視できるようにする。
【００２５】
弁座部材１２は、筒部１１の前端開口部に接続された短尺な略筒状の部材であり、その後端側を上記筒部１１の内径と略同等に形成するとともに、その前端側を縮径することで、前端開口部が後述する弁部材１４ａにより開閉さるように構成してある。
そして、この弁座部材１２は、接続箇所からインクが外部へ漏れることがないように、嵌合接続や螺合接続、接着等、接続箇所がシールされた接続手段によって、筒部１１の前端開口部に接続されている。
なお、この弁座部材１２は、図示例によれば筒部１１と別体の部材としているが、より生産性を良好にするために、筒部１１に一体成形された部材とすることも可能である。
【００２６】
後端キャップ１３は、その軸心に後述する調整部材１４を貫通螺合した部材であり、筒部１１の後端に、嵌合接続や螺合接続、接着等の接続手段により接続されている。
なお、この後端キャップ１３の好ましい態様としては、該後端キャップ１３の後端面に所定角度置きに目盛りを設けることで、後述する調整部材１４の回転量を目視確認できるようにする。
【００２７】
そして、前記後端キャップ１３には、筒部１１内のフォロアＮよりも後方側の空間Ｓを外部に連通させる通気手段が備えられている。
この通気手段は、前記空間Ｓを外部に連通させる構成であれば特に限定されず、その具体例としては、後端キャップ１３内周の雌ねじ部１３ａと調整部材１４外周の雄ねじ部１４ｂ１とが所定の隙間を介して螺合されるようにした態様や、後端キャップ１３に貫通孔を形成した態様等が挙げられる。
また、前記通気手段は、後端キャップ１３に設けずに、筒部１１の後端側に貫通孔を設けた態様としてもよい。
そして、前記構成の通気手段は、筒部１１内のインクの消費に伴って、筒部１１内の後端側の空間Ｓへ外部の空気を導入したり、温度等の影響により筒部１１内の空間Ｓにおける気圧が上昇した場合に、該空間Ｓの空気を外部へ排気したり等、すなわち、筒部１１内の空間Ｓの空気と外部の空気とを略均圧化するように作用する。
【００２８】
また、調整部材１４は、後端キャップ１３の雄ねじ部１４ｂ１に螺合された調整棒１４ｂと、上記弁座部材１２の前端開口部を開閉する弁部材１４ａとを同軸状に連接してなり、調整棒１４ｂの後端側を後端キャップ１３よりも後方へ突出するとともに、弁部材１４ａの前端側を弁座部材１２よりも前方へ突出している。
【００２９】
調整棒１４ｂは、筒部１１よりも若干長い略軸状または筒状の部材であり、後端キャップ１３に対応する後端側の部位に、後端キャップ１３の雌ねじ部１３ａに螺合可能な雄ねじ部１４ｂ１を形成している。
そして、この調整棒１４ｂは、後端キャップ１３よりも後方へ露出された後端操作部１４ｂ２が軸周りに回されることで、軸方向へ進退する。
【００３０】
弁部材１４ａは、調整棒１４ｂに一体的に構成され、その前端側部位に、弁座部材１２の前端開口部１２ａの内径よりも外径の大きい略円筒状の弁部１４ａ１を有する。
そして、この弁部材１４ａは、調整棒１４ｂと一体的に進退することで、弁座部材１２の前端開口部１２ａを開閉し、更には、その進退量に応じて該前端開口部１２ａよりも前端側のインク流通路の流通面積を可変させる。
【００３１】
すなわち、弁部材１４ａが前進するのに伴って、弁座部材１２の前端開口部１２ａと弁部材１４ａとの間に形成されるインクＭの流通面積が大きくなるとともに、インクＭの流通抵抗は小さくなる。
また、弁部材１４ａが後退するのに伴って、弁座部材１２の前端開口部１２ａと弁部材１４ａとの間に形成されるインクＭの流通面積が小さくなるとともに、インクＭの流通抵抗は大きくなる。
そして、弁部材１４ａは、更に後退すると、弁座部材１２の前端面に当接し、前端開口部１２ａを略完全に塞ぎ、インク収容室１０から弁室２０ａへのインクＭの流出を阻む。
【００３２】
なお、前記弁部材１４ａを調整棒１４ｂに接続する手段は、螺合接続、嵌合接続、接着等の何れの接続手段であってもよい。
また、前記弁部材１４ａは、特に生産性を良好にするために、調整棒１４ｂに一体成形してもよい。
また、前記弁部材１４ａは、その形状が図示例のものに限定されるものでなく、例えば、略円錐状を呈し、その傾斜面を前端開口部１２ａの内縁に当接させるようにした態様でもよく、この態様によれば、前記傾斜面と前記内縁との線接触により前端開口部１２ａが閉鎖された際のシール性を向上することができる。
【００３３】
また、先口２０は、上記インク収容室１０から吐出されたインクＭを筆記部３０へ導くためのインク流通路を、内部に形成している部材であり、その軸心上には仕切り部２１を一体的に備えている。
【００３４】
詳細に説明すれば、この先口２０は、その内部空間が前記仕切り部２１により仕切られることで、該内部空間の後側に、インク収容室１０毎に仕切られた複数の弁室２０ａを有するとともに、該弁室２０ａよりも前側には、インク収容室１０毎に仕切られるとともに弁室２０ａ毎に対応する複数のインク流通室２０ｂを有する。
【００３５】
仕切り部２１は、上記のように、弁室２０ａ及びインク流通室２０ｂを、インク収容室１０毎に仕切る部材であればよく、先口２０に一体成形された部材であってもよいし、先口２０と別体の部材であっても構わない。
【００３６】
そして、上記構成の先口２０によれば、複数のインク収容室１０から吐出される複数色のインクＭは、それぞれ独立して、前記弁室２０ａ及び前記インク流通室２０ｂを流通することになる。
【００３７】
また、筆記部３０は、その前端側のボールハウス３２内に転写ボール３１を回転自在に保持してなる所謂ボールペン用チップであり、嵌合接続や螺合接続、接着等、接続箇所がシールされた接続手段によって、先口２０の前端開口部に接続されている。
そして、この筆記部３０は、仕切り部２１の前端面と転写ボール３１との間の隙間ｃを適切な寸法とすることで、混合室３０ａを形成している。
混合室３０ａは、ボールハウス３２を形成している略筒状の周壁内において、仕切り部２１の前端面と転写ボール３１と間に形成される略筒状の空間であり、上記先口２０における複数のインク流通室２０ｂの各々と連通している。
【００３８】
この構成によれば、複数のインク流通室２０ｂから混合室３０ａ内に流入される複数色のインクＭは、筆記時に回転する転写ボール３１に誘引されるとともに、該転写ボール３１の表面に接触されることで、攪拌混合されることになる。
【００３９】
なお、上記隙間ｃは、筆記部３０から吐出されるインクＭの混合状態に応じて適度に設定される。
すなわち、隙間ｃが小さすぎる場合には、インク流通室２０ｂ内での複数色のインクＭの混合作用が小さくなりすぎて、筆記部３０から吐出されるインクＭによる筆記線は、複数色のインクＭが入り混じった多層状にの線となる。
隙間ｃが大きすぎる場合には、インク流通室２０ｂ内の複数色のインクＭが、混合室３０ａ内に長時間もしくは長期間放置された場合に、不適切に分離されてしまう場合がある。
【００４０】
次に、上記構成の混合筆記具Ａ１について、その作用効果を詳細に説明する。
複数のインク収容室１０の前端開口部１２ａがそれぞれ弁部１４ａ１により閉じられた状態で、所望とするインク収容室１０の調整部材１４が開弁方向へ回されると、調整部材１４が前進し、前端開口部１２ａが開放される。
すると、インク収容室１０内のインクＭは、前端開口部１２ａを通過して弁室２０ａ内へ流入されることになる。その際のインクＭの流量は、弁部材１４ａの移動量に応じたインク流通面積により決まる。
すなわち、弁部材１４ａの前進移動量が大きい程（すなわち調整部材１４の回転量が大きい程）、前記インク流通面積が大きくなり、インクＭの流量が多くなる。また、弁部材１４ａの前進移動量が小さい程、前記インク流通面積が小さくなり、インクＭの流量が小さくなる。
【００４１】
複数のインク収容室１０は、それぞれ上記のように調整部材１４が回されることで、インク収容室１０毎にインクＭの流量が調整される。
そして、各インク収容室１０から弁室２０ａへ流入されたインクＭは、インク流通室２０ｂへ流入され、更に混合室３０ａへ流入されることになる。
【００４２】
混合室３０ａでは、複数のインク流通室２０ｂから流入されたインクが混合される。そして、この混合室３０ａ内のインクＭは、転写ボール３１の回転により、転写ボール３１外周面とボールハウス３２内面との隙間に導かれ、外部に吐出される。
【００４３】
図３は、混合筆記具Ａ１における各インク収容室１０の弁開度と筆記線の色との関係を示した表である。前記弁開度は、調整部材１４の弁部材１４ａが最大限に前進した際の移動量を「１０」とするとともに、同調整部材１４の弁部材１４ａが前端開口部１２ａを閉鎖した状態を「−」としている。
この表に示されるように、混合筆記具Ａ１によれば、複数色のインクＭの流量を、各々個別に調整することで、様々な色の筆記線を得ることができる。
【００４４】
なお、上記混合筆記具Ａ１は、インク収容室１０を三つ備え、これら三つのインク収容室１０，１０，１０に、三原色（赤、青、黄）のインクをそれぞれ充填した好ましい一例であるが、前記三色のインクの一部もしくは全部を、他の色のインクに置換した構成としてもよい。
例えば、前記３色のインクの一部を透明や白のインクに置換すれば、筆記線の色の濃淡を調整可能な混合筆記具とすることができる。
【００４５】
次に、本発明に係わる混合筆記具の他例について説明する。なお、以下に示す混合筆記具について、上記混合筆記具Ａ１と略同様の箇所については、混合筆記具Ａ１と同一の符号を用いることで、重複する詳細説明を省略する。
【００４６】
図４に示す混合筆記具Ａ２は、上記混合筆記具Ａ１において、仕切り部２１の先端部２１ａを、混合室３０ａの内径よりも小さい外径の軸状に形成し、該先端部２１ａが混合室３０ａ内に入り込むように構成したものである。
この態様によれば、先端部２１ａを転写ボール３１からより離した構成とすることができるのは勿論のこと、同先端部２１ａを転写ボール３１により接近させた構成とすることも可能であり、インクＭの混合状態が良好となるように、隙間ｃを適切に設定することができる。
【００４７】
また、図５に示す混合筆記具Ａ３は、上記混合筆記具Ａ１において、複数の上記インク流通室２０ｂを連通させて一つの混合室２０ｂ’とし、該混合室２０ｂ’と筆記部３０の混合室３０ａとを連通させるとともに、先端部２１ａの前端面を、混合室２０ｂ’の後方側に配置するようにしたものである。
この態様では、混合室２０ｂ’と混合室３０ａとにより、比較的広い混合室２が構成されることになる。なお、この混合室２には、必要に応じて、複数色のインクＭを攪拌混合するための攪拌ボール２ａが設けられる。
【００４８】
また、図６及び７に示す混合筆記具Ａ４は、上記混合筆記具Ａ１における混合室３０ａに、インクＭを転写ボール３１へ誘導する誘導部材３または誘導部材４を設けたものである。
誘導部材３は、合成樹脂材料からなる略円筒状を呈し、インクＭを流通させるべく軸方向へ貫通された貫通状流通部３ａを、複数放射状に配設している（図７（ａ）参照）。
複数の貫通状流通部３ａは、それぞれが独立しており、これら複数の貫通状流通部３ａが部分的に各インク収容室１０に連通している。
したがって、この誘導部材３によれば、複数のインク収容室１０内のインクＭは、それぞれ独立して、転写ボール３１の後方側へ導かれることになる。
また、他の態様である誘導部材４は、合成樹脂材料からなる略円筒状を呈し、上記誘導部材３と同様にしてインクＭを流通させるべく軸方向へ貫通された貫通状流通部４ａを複数放射状に配設するとともに、これら貫通状流通部４ａを軸心側で連通するとともに軸方向へ貫通された円筒状の流通部４ｂを形成している（図７（ｂ）参照）。
この誘導部材４によれば、複数のインク収容室１０内のインクＭは、インク収容室１０毎に対応する貫通状流通部４ａにより、一部が独立して転写ボール３１の後方側へ導かれるとともに、円筒状の流通部４ｂにより、他の一部が混合されて転写ボール３１の後方側へ導かれることになる。
この混合筆記具Ａ４において、前記誘導部材３と前記誘導部材４とは、種類等により異なる複数のインクＭの混合状態に応じて、適宜選定される。
なお、誘導部材３または誘導部材４と転写ボール３１との間の隙間ｃは、複数色のインクＭの混合状態を良好にするように、適宜に設定される。
【００４９】
また、図８及び９に示す混合筆記具Ａ５は、上記上記混合筆記具Ａ１における混合室３０ａに、弾性材料からなる仕切り壁５を設けたものである。
仕切り壁５は、インク流通路をインク収容室１０毎に仕切るように、三方へ分かれる断面略星形状を呈し、インク流通路を断面略扇形状に略三等分している（図９（ａ）参照）。
この混合筆記具Ａ５によれば、複数のインク収容室１０から流出される複数色のインクＭは、仕切り壁５によりそれぞれ独立して転写ボール３１へ導かれる。
そして、この混合筆記具Ａ５は、一部の弁部材１４ａを閉弁する際や、一部のインク収容室１０内の温度変化等により、仕切り壁５により分割された複数色のインクＭ間に圧力差が生じた場合でも、仕切り壁５を弾性変形させることで（図９（ｂ）参照）、複数色のインクＭを略均圧に保つ。
したがって、この混合筆記具Ａ５によれば、一部のインク収容室１０から他のインク収容室１０へインクＭが逆流してしまうのを防止することができる。
なお、仕切り壁５と転写ボール３１との間の隙間ｃは、複数色のインクＭの混合状態を良好にするように、適宜に設定される。
【００５０】
また、図１０及び１１に示す混合筆記具Ａ６は、上記混合筆記具Ａ１のインク収容室１０をインク収容室４０に置換し、各インク収容室４０自体が回転操作されることで、各インク収容室４０に対応するインク流路の流通面積が可変されるようにしたものである。
各インク収容室４０は、前端開口部と後端開口部とを有する略円筒状に形成され、その前端開口部側の外周に、先口２０に対して軸周りに回動可能なように係合する環状凸部４２を有するとともに、この環状凸部４２よりも更に前端開口部側に、略Ｕ字状の切欠部４１を形成している（図１１参照）。
この混合筆記具Ａ６によれば、外部操作によりインク収容室４０が軸周りに回転されると、インク収容室４０内とインク流通室２０ｂとの間のインク流通路が、切欠部４１により開閉されるとともに、インク収容室４０の回転量に応じて前記インク流通路の流通面積が可変する（図１２参照）。
したがって、この混合筆記具Ａ６では、上記混合筆記具Ａ１における軸状の調整部材１４等を省いた簡素な構成により、各のインク収容室４０から流出されるインクＭの流量を、微妙に調整することができる。
尚、複数のインク収容室４０の後端側には、必要に応じてキャップ等が設けられ、各インク収容室４０内のインクＭ及びフォロアＮが後方へ流出してしまうのを防止する。
【００５１】
また、図１３に示す混合筆記具Ａ７は、上記混合筆記具Ａ１におけるインク収容室１０を、二重筒状のインク収容室５０に置換するとともに、このインク収容室５０が先口２０に固定された弁部材６によって開閉されるようにしたものである。
インク収容室５０は、外筒５１と該外筒５１内に支持された内筒５２とを具備している。
外筒５１は、その前端側を、筒状ブラケット５１ａを介して先口２０に固定するとともに、その後端開口部に、上記混合筆記具Ａ１同様の後端キャップ１３を備えている。
内筒５２は、その前端開口部を弁部材６に接近離間させるように、その後端側を後端キャップ１３に貫挿させて螺合している。
また、弁部材６は、略円錐状を呈し、その底面部を先口２０内に固定している。
この混合筆記具Ａ７によれば、内筒５２が軸周りに回されると、該内筒５２は、軸方向へ前進または後退することになる。そして、その内筒５２の進退により、内筒５２の前端開口部と弁部材６の傾斜した外周面との間が開閉され、その開口面積は内筒５２の回転量に応じて変化する。したがって、インク流通路の流通面積が可変することになる。
なお、図中符号５２ａは、内筒５２の周壁に、必要に応じて設けられる貫通孔である。この貫通孔５２ａを設けた場合、インクを収容するスペースを内筒５２内に加えて、内筒５２と外筒５１との間にも確保できるため、大幅にインク量を増加させることができる。
【００５２】
また、図１４乃至１６に示す混合筆記具Ａ８は、上述した混合筆記具Ａ１におけるインク収容室１０を、インク収容室６０に置換することで、上述した形態とは異なる弁構造を構成したものである。
各インク収容室６０は、前端開口部と後端開口部とを有する略円筒状に形成された筒部１１と、該筒部１１の前端開口部に装着された弁座部材６１と、同筒部１１の後端開口部に装着された後端キャップ１３'と、該後端キャップ１３'の略軸線状に螺合された調整部材６２とを具備している。なお、前記筒部１１は、上記混合筆記具Ａ１における筒部１１と略同様のものである。また、後端キャップ１３’は、上記混合筆記具Ａ１における後端キャップ１３から雌ねじ部１３ａを省いた構成としている。
【００５３】
弁座部材６１は、その後端側を筒部１１の前端開口部に固定するとともに、その前端側を先口２０内に固定した短尺な略筒状の部材である。
この弁座部材６１の前端側の周壁には、略Ｕ字状の切欠部６１ａが形成されている（図１５参照）。そして、この弁座部材６１は、前記切欠部６１ａ内の空間をインク流通室２０ｂに連通させるようにして、先口２０内に固定されている。
【００５４】
また、調整部材６２は、上記混合筆記具Ａ１における調整棒１４ｂから雄ねじ部１４ｂ１を省くことで調整棒１４ｂ’を構成し、該調整棒１４ｂ’の前端に、回転弁部材６２ａを一体的に接続してなる。
回転弁部材６２ａは、その前側部位を、前記弁座部材６１の内周面にならう略ピストン状に形成するとともに、この略ピストン状の部位の前端側に、弁座部材６１の内周面に摺接させるようにＯリング６２ａ１を嵌合し、更に、該Ｏリング６２ａ１よりも後側には、断面略半円状に切除された切除部６２ａ２を有する（図１６参照）。
【００５５】
上記構成の混合筆記具Ａ８によれば、調整部材６２が軸周りに回転されると、その回転に伴って回転弁部材６２ａも回転し、該回転弁部材６２ａの切除部６２ａ２が、弁座部材６１の切欠部６１ａに重なった際に、インクＭの流通路が形成され開弁状態となる。また、弁座部材６１外周面における切欠部６１ａ以外の部位により前記切欠部６１ａが閉じられると、閉弁状態となる。
前記開弁状態の際、インクＭの流通面積は、回転弁部材６２ａと弁座部材６１の切欠部６１ａとにより形成される開口部の面積に対応するため、前記開口部の面積を弁座部材６１の回転角度により調整することで、インク収容室６０毎のインクＭの流量を微妙に調整することができる。
【図面の簡単な説明】
【００５６】
【図１】本発明に係わる混合筆記具の一例を示す全断面図。
【図２】同混合筆記具を後端側から視た平面図。
【図３】同混合筆記具におけるインク収容室毎の弁開度と筆記線の色との関係を示す表。
【図４】本発明に係わる混合筆記具の他例を示す要部断面図。
【図５】本発明に係わる混合筆記具の他例を示す要部断面図。
【図６】本発明に係わる混合筆記具の他例を示す要部断面図。
【図７】（ａ）は図６における（VII）−（VII）線断面図を示し、（ｂ）は同断面の他例を示す。
【図８】本発明に係わる混合筆記具の他例を示す要部断面図。
【図９】（ａ）は図８における（IX）−（IX）線断面図を示し、（ｂ）は同断面においてインク圧差を生じた状態の一例を示す。
【図１０】本発明に係わる混合筆記具の他例を示す全断面図。
【図１１】同混合筆記具のインク収容室の一例を示す要部斜視図。
【図１２】図１０における（ＸＩＩ）−（ＸＩＩ）線断面図。
【図１３】本発明に係わる混合筆記具の他例を示す全断面図。
【図１４】本発明に係わる混合筆記具の他例を示す全断面図。
【図１５】同混合筆記具における窓部材を示す斜視図。
【図１６】同混合筆記具における開閉回動部材を示す斜視図。
【符号の説明】
【００５７】
３，４：誘導部材
５：仕切り壁
１０：インク収容室
１４：調整部材
１４ａ：弁部材
１２：弁座部材
２０：先口
２０ａ：弁室
２０ｂ：インク流通室
３０ａ：混合室
３０：筆記部
Ａ１：混合筆記具
Ｍ：インク
Ｎ：フォロア
【図１】
2005059419.tif 000003
【図２】
2005059419.tif 000004
【図３】
2005059419.tif 000005
【図４】
2005059419.tif 000006
【図５】
2005059419.tif 000007
【図６】
2005059419.tif 000008
【図７】
2005059419.tif 000009
【図８】
2005059419.tif 000010
【図９】
2005059419.tif 000011
【図１０】
2005059419.tif 000012
【図１１】
2005059419.tif 000013
【図１２】
2005059419.tif 000014
【図１３】
2005059419.tif 000015
【図１４】
2005059419.tif 000016
【図１５】
2005059419.tif 000017
【図１６】
2005059419.tif 000018